(57)【要約】【課題】入力された動画像の全体的な位置を把握することができ、また、印刷に適した静止画像を選択することができ、さらに、注目しているオブジェクトの動きを把握することができる動画像印刷装置を提供する。【解決手段】メモリカードから動画像を読み取り、上記読み取った画像が連続するフィールド画像で対象物の位置情報に変化が無いことを検出する静止画像検出手段と、上記静止画像検出手段が、静止画像を検出する前の複数の動画像フィールドを格納する動画像フィールド格納手段とを有する。上記動画像フィールド格納手段に格納されている動画像フィールドを、フィールド毎に、２値化する動画像２値化手段を有する。上記動画像フィールド格納手段に格納されている上記動画像フィールドを合成し、合成動画像を生成する合成動画像作成手段と、上記静止画像と合成動画像とが交互に配置されている一覧印刷を行う一覧印刷制御手段とを有する。【選択図】図６
2008296453.tif 000002
【特許請求の範囲】
【請求項１】
原稿を読み取る原稿読取部と、記録紙に画像形成する画像形成部と、装置を操作する操作部とを具備する動画像印刷装置において、
メモリカードから動画像を読み取り、連続するフィールド画像で対象物の位置情報に変化が無いことを検出する静止画像検出手段と；
上記静止画像検出手段が、静止画像を検出する前の複数の動画像フィールドを格納する動画像フィールド格納手段と；
上記動画像フィールド格納手段に格納されている動画像フィールドを、フィールド毎に、２値化する動画像２値化手段と；
上記動画像フィールド格納手段に格納されている上記動画像フィールドを合成し、合成動画像を生成する合成動画像作成手段と；
上記静止画像と合成動画像とが交互に配置されている一覧印刷を行う一覧印刷制御手段と；
を有することを特徴とする動画像印刷装置。
【請求項２】
請求項１において、
上記一覧印刷した静止画像の下部にのみ、画像選択用の矩形のチェックボックスを設けることを特徴とする動画像印刷装置。
【請求項３】
請求項１において、
上記一覧印刷した全ての画像の下部に、画像選択用の矩形のチェックボックスを印刷することを特徴とする動画像印刷装置。
【請求項４】
請求項２において、
一覧印刷を行ったシートに印刷されているチェックボックスに、ユーザがマーキングした上記シートを原稿読取部が読み取り、解析する画像解析手段を有し、上記画像解析手段が解析した静止画像を、動画像データから取り出し、印刷することを特徴とする動画像印刷装置。
【請求項５】
請求項３において、
一覧印刷を行ったシートに印刷されているチェックボックスにユーザがマーキングした上記シートを原稿読取部が読み取り、解析する画像解析手段を有し、上記画像解析手段が解析した画像が動画像であれば、対象の動画像をフィールド毎に再度一覧印刷し、画像下部に、画像選択用の矩形のチェックボックスを設けることを特徴とする動画像印刷装置。
【請求項６】
請求項１において、
上記動画像２値化手段は、画像の輪郭のみを抽出する手段であることを特徴とする動画像印刷装置。
【請求項７】
請求項２において、
上記一覧印刷制御手段は、上記一覧印刷した静止画像の下部にのみ、動画像中の画像の位置を特定するフィールド位置情報を印刷する手段であることを特徴とする動画像印刷装置。
【請求項８】
請求項３において、
上記一覧印刷制御手段は、上記一覧印刷した静止画像の下部にのみ、動画像中の画像の位置を特定するフィールド位置情報を印刷する手段であることを特徴とする動画像印刷装置。
【請求項９】
請求項４において、
上記一覧印刷制御手段は、上記一覧印刷した全ての画像の下部に、動画像中の画像の位置を特定するフィールド位置情報を印刷する手段であることを特徴とする動画像印刷装置。
【請求項１０】
原稿を読み取る原稿読取部と、記録紙に画像形成する画像形成部と、装置を操作する操作部とを具備する動画像印刷装置の制御方法において、
メモリカードから動画像を読み取り、上記読み取った画像が連続するフィールド画像で対象物の位置情報に変化が無いことを検出する静止画像検出工程と；
上記静止画像検出工程で、静止画像を検出する前の複数の動画像フィールドを、記憶装置に格納する動画像フィールド格納工程と；
上記動画像フィールド格納工程で格納された動画像フィールドを、フィールド毎に、２値化し、記憶装置に記憶する動画像２値化工程と；
上記動画像フィールド格納工程で格納された上記動画像フィールドを合成し、合成動画像を生成し、記憶装置に記憶する合成動画像作成工程と；
上記静止画像と合成動画像とが交互に配置されている一覧印刷を行う制御工程と；
を有することを特徴とする動画像印刷装置の制御方法。
【発明の詳細な説明】
【技術分野】
【０００１】
本発明は、画像の印刷、画像の読み込み、メモリカードの読み取り、デジタルカメラからの印刷等の複数の機能を持つ画像読取記録装置を用い、メモリカード等、画像記録媒体に格納されている動画像の中から、読み込み印刷画像を選択し、印刷する方法に関する。
【背景技術】
【０００２】
従来の動画像取印刷装置では、メモリカード等の記録媒体から、指定された時間分の動画像を読み込み、一覧印刷する機能を持つ動画像印刷装置（第１の装置）が知られている。また、記録された動画像から、印刷に適する静止画像のみを抽出し、一覧印刷する動画像印刷装置（第２の装置）も存在している。
【０００３】
さらに、動画像からシーンチェンジ（シーン変化）を抽出し、シーンチェンジした画像のみを印刷し、上記シーンチェンジまでの時間を、画像下部に記録する動画像印刷装置（第３の装置）も知られている（たとえば、特許文献１参照）。
【特許文献１】特開平７−７９４０４号公報
【発明の開示】
【発明が解決しようとする課題】
【０００４】
しかし、上記第１の装置では、印刷したい画像が含まれている期間を特定することが難しく、長時間指定した場合、データ数が多く、複数枚に渡ってデータが出力されるので、画像の特定に時間が掛かるという問題がある。
【０００５】
また、上記第２の装置では、静止画像のみが印刷されるので、動画像の全体像を把握することができず、また、印刷したい画像の特定に時間がかかるという問題がある。
【０００６】
また、上記第３の装置では、全体の中の位置はわかるが、シーンチェンジした画像しか印刷されないので、所望した画像を選択することができないという問題がある。
【０００７】
本発明は、入力された動画像の全体的な位置を把握することができ、また、印刷に適した静止画像を選択することができ、さらに、注目しているオブジェクトの動きを把握することができる動画像印刷装置を提供することを目的とする。
【課題を解決するための手段】
【０００８】
本発明は、原稿を読み取る原稿読取部と、記録紙に画像形成する画像形成部と、装置を操作する操作部とを具備する動画像印刷装置である。また、本発明は、メモリカードから動画像を読み取り、上記読み取った画像が連続するフィールド画像で対象物の位置情報に変化が無いことを検出する静止画像検出手段と、上記静止画像検出手段が、静止画像を検出する前の複数の動画像フィールドを格納する動画像フィールド格納手段とを有する。さらに、本発明は、上記動画像フィールド格納手段に格納されている動画像フィールドを、フィールド毎に、２値化する動画像２値化手段を有する。しかも、本発明は、上記動画像フィールド格納手段に格納されている上記動画像フィールドを合成し、合成動画像を生成する合成動画像作成手段と、上記静止画像と合成動画像とが交互に配置されている一覧印刷を行う一覧印刷制御手段とを有する動画像印刷装置である。
【発明の効果】
【０００９】
本発明によれば、入力された動画像の全体的な位置を把握することができ、また、印刷に適した静止画像を選択することができるので、注目しているオブジェクトの動きを把握することができるという効果を奏する
【発明を実施するための最良の形態】
【００１０】
発明を実施するための最良の形態は、次の実施例である。
【実施例１】
【００１１】
図１は、本発明の実施例１である画像形成装置１００の概観を示す斜視図である。
【００１２】
画像形成装置１００は、以下の機能を有する装置である。
（１）図示しないホストコンピュータから印刷データを受信して、印刷する機能。
（２）備え付けられているスキャナを利用して、原稿を読み取り、読み取ったデータを印刷するコピー機能。
（３）カード挿入口３に挿入されたメモリカードから画像データを受信し、受信したデータに画像処理を施し、印刷するカード印刷機能。
（４）用紙原稿を読み取り、接続された上記ホストコンピュータに読み取りデータを保存するＰＣスキャン機能。
【００１３】
画像形成装置１００の外殻をなす本体は、排出トレイ１と、スキャナ原稿カバー４と、ケース６と、記録装置へのアクセスで利用するアクセスカバー７とによって構成されている外装部材を有している。
【００１４】
また、ケース６は、記録動作に係る各機構を収納する中空対構造を有する。排出トレイ１は、その一端部が、ケース６に回転自由に保持され、この回転によって、ケース６の前面部に形成されている開口部を開閉させ得る。このために、記録動作を実行させるときには、排出トレイ１を、前面側へ開口部を開くことによって、ここから記録シートが排出可能になり、また、排出された記録シートを順次積載し得る。アクセスカバー７は、一端部がケース６に回転自由に保持され、上面に形成されている開口部を開閉することができ、このアクセスカバー７を開くことによって、本体内部に収納されている記録ヘッドカートリッジ等を交換することができる。
【００１５】
また、操作パネル２には、電源キー、各種印刷設定をするキーが押し下げ可能に設けられている。また、印刷設定等を表示する液晶部も、上記と同様に設けられている。
【００１６】
自動給紙部５は、記録シートを装置本体内へ自動的に給紙する。カード挿入口３にメモリカードが挿入され、メモリカード内に記憶されている画像データを印刷することができる。このメモリカードは、たとえば、コンパクトフラッシュ（登録商標）メモリ、スマートメディア（登録商標）、メモリスティック等である。
【００１７】
図２は、図１における画像形成装置１００を背面から見た外観斜視図である。
【００１８】
電源コード差込口２１は、画像形成装置１００に内蔵されている図示しない電源と接続され、交流電流を供給するために利用する。差込口２２は、ホストコンピュータと接続するために必要なＵＳＢの差込口である。
【００１９】
図３は、画像形成装置１００の原稿カバー４を上面に開き、原稿台にアクセス可能な状態を示す外観斜視図である。
【００２０】
なお、図３において、図１、図２に記載されている部分と同一の部分には、同じ記号を付し、その説明を省略する。ガラス製の原稿台３１は、原稿のＲＧＢデータを読み取る図示しないコンタクトセンサが内部に装着されている。白色基準板３２は、原稿カバー４に備え付けられている。原稿カバー４を閉めた状態で、備え付けられているコンタクトセンサの白基準データ（キャリブレーション）を取得するときに利用される。
【００２１】
図４は、画像形成装置１００の制御に係る主要部の構成を示すブロック図である。
【００２２】
図１〜図３に示す部分と同一の部分には、同じ記号を付し、それらの説明を割愛する。
【００２３】
画像形成装置１００は、制御部（制御基板）４１と、中央演算装置（ＣＰＵ）４２と、ＡＳＩＣ（専用カスタムＬＳＩ）４３と、メモリ４４と、データ保存領域４５と、印刷部４６と、スキャナ部４７とを有する。また、画像形成装置１００は、電源コネクタ４８と、電源コード４９と、電源ＰＳ１と、メモリカードＭＣ１とを有する。
【００２４】
中央演算装置（ＣＰＵ）４２は、後述する各種制御と演算等を担当する。メモリ４４は、ＣＰＵ４２の制御プログラムを記憶するプログラムメモリ４４ａと、実行時のプログラムとを記憶するＲＡＭエリア、データ等を記憶するワークメモリとして機能するメモリエリアを有している。
【００２５】
データ保存領域４５は、画像データを保存し、実施例１ではハードディスク（ＨＤＤ）であるが、不揮発性メモリ等の記憶領域に置き換えることも可能である。
【００２６】
印刷部４６は、データを用紙に印刷する際に使用され、実施例１では、説明を省略する。また、スキャナ部４７は、用紙に書かれている原稿からデータを読み取るために使用されるが、これも、その説明を省略する。
【００２７】
メモリカードＭＣ１は、デジタルデータを保存する。メモリカードＭＣ１は、カード挿入口３に挿入して使用される。電源コネクタ４８は、電源コード４９を家庭用コンセント（図不指示）に差し込むことによって、電源ＰＳ１の商用ＡＣを変換した直流電圧を入力する。
【００２８】
図５は、ＡＳＩＣ４３の構成を示すブロック図である。
【００２９】
図１〜図４に示す部分と同一の部分には、同じ記号を付与しそれらの説明を割愛する。
【００３０】
内部バス（ＡＳＩＣバス）５１は、内部の各モジュールを接続している。ＣＰＵインタフェース部５２は、ＣＰＵ４２との間で行うデータのやり取りを制御する。メモリカードインタフェース部５３は、装着されているメモリカードＭＣ１に記憶されている画像データを読み取り、または、メモリカードＭＣ１へのデータの書き込み等を行う。操作パネルインタフェース部５４は、操作パネル２に存在している各種ボタンからの各種操作信号を入力し、また、表示部へ表示データを出力する。
【００３１】
スキャナ関連モジュール５５は、スキャナ部４７を動作させるための各モジュールが存在する。印刷関連モジュール５６は、印刷部４６を動作させる各モジュールが存在する。ＨＤＤコントローラモジュール５７は、データ保存領域４５をハードディスクとした場合、これをコントローするための各モジュールが存在する。
【００３２】
図６は、実施例１において、動画像データを一覧印刷した動画像データ一覧印刷結果６０を示す図である。
【００３３】
印刷結果６０は、印刷用紙６１上に、第１基準指標（基準位置検出用のデータ）ＳＦ１と、画像数６３と、印刷画像６４、６５、６６、６７と、チェックボックス６８とが印刷されている。また、印刷結果６０は、フィールド位置情報（チェックボックス横の数字）６９と、第２基準指標（基準位置検出用データ）ＳＦ２とが印刷されている。
【００３４】
第１基準指標ＳＦ1、第２基準指標ＳＦ２は、印刷用紙６１をスキャナで読み取るときに、用紙の傾き、絶対位置を得るために使用される。画像数６３は、この用紙上に画像が何枚印刷されているかを示す画像枚数である。実施例１では、４枚の画像である。印刷画像６４、６６は、動きの無いデータを印刷し、印刷画像６５、６７は、動きのある画像を、複数枚輪郭のみを抽出し、フィールドデータを複数枚合成した形で印刷されている。
【００３５】
チェックボックス６８は、画像データを選択するためのチェックボックスであり、チェックボックスをチェックした印刷用紙を、スキャンすることによって、選択した画像データを印刷することができる。このチェックボックスの位置は、第１基準指標ＳＦ１から相対的に決めることができる。
【００３６】
フィールド位置情報（チェックボックス横の数字）６９は、画像データが画像の最初から何フィールド目の画像であるかを表すフィールド位置情報である。印刷画像６４は、最初のフィールドであるので、“１”である。
【００３７】
また、２番目の印刷画像６５は、最初の静止画像がフレームデータであるので、フィールド位置情報（チェックボックス横の数字）６９が“３”である。
【００３８】
なお、図６の印刷画像６５の下には、チェックボックス及びフィールド位置情報が印刷されていない。つまり、動きのある画像が印刷には適さないので、その下には、チェックボックスが設けられていない。
【００３９】
図９、図１０は、実施例１において、画像出力するまでの処理を示すフローチャートである。
【００４０】
Ｓ１、Ｓ２で、２つのフィールドデータを２回読み込み、フレームデータを完成させる。Ｓ３で、読み込んだフレームデータが、画像データであるかどうかをチェックする。画像データでなければ、処理を終える。この際読み取りに失敗すると、上記と同様に処理する。
【００４１】
また、画像データであれば、Ｓ４で、フィールドデータ間で動きの有無を検出する。動きがあれば、Ｓ１３に進み、動画像データを格納するために、Ｓ１３〜Ｓ１５で、動画像データ有りフラグをセットし、格納されている画像枚数をカウントアップし、Ｓ２へ戻り処理を継続する。Ｓ４で、動きが検出できなければ、Ｓ５で、動画像データが格納されているかどうかを調べる。
【００４２】
ここで、動画像データが格納されていれば、Ｓ６〜Ｓ９で、読み込み、動画像データから輪郭を抽出し、合成処理を、格納されている画像データ数分、繰り返す。その全てが合成された画像データを、Ｓ１１で、一覧印刷用に縮小し、Ｓ１２で印刷枚数に従って決定された印刷位置情報に基づいて、Ｓ２２で印刷する。
【００４３】
そのときに、Ｓ１で、レイアウト位置を更新するため印刷枚数カウンタを、カウントアップする。Ｓ２３以降のステップは、Ｓ５で動画像データが格納されていない場合にも、上記と同様に処理されるステップである。Ｓ２３で、読み込んである動きのない画像を、一覧印刷用に縮小し、動画像と同様に、Ｓ２４で、印刷枚数に基づいてレイアウト位置を決定し、Ｓ２５で印刷する。その後に、Ｓ２６で、動画像と同様に、印刷枚数をカウントアップし、動画像データ処理に使われていた領域を初期化する。
【００４４】
Ｓ２８で、動画像データ有りフラグを初期化し、Ｓ２９で、動画像格納枚数を初期化する。その後に、動きの無い画像の下部に、チェックボックスを印刷するときに、全動画像データの中での位置が判るように、フィールド位置情報６９も印刷する。これまでのステップを、Ｓ３で画像データの読み込みできる限り継続することによって、画像一覧印刷が完了する。
【００４５】
図１１は、一覧印刷された用紙において、ユーザがチェックボックスにレ点、または塗りつぶしを行い、読み取り装置を用いてスキャンした後における処理を示すフローチャートである。
【００４６】
Ｓ３１で、読み取った画像データに基づいて、基準位置を検出し、各チェックボックスへの相対位置を、Ｓ３３で割り出す。Ｓ３２で、基準位置の傍に表示されている全画像枚数を読み取り、Ｓ３４で、画像数をチェックし、チェックした画像数が０であれば、処理を終わる。画像数が１以上であれば、対応するチェックボックスを、画像番号より決定する。上記「画像番号」は、これら一連の処理の前に初期化されている。
【００４７】
チェックボックス位置が決定されると、ボックス位置の情報を読み取り、Ｓ３５で、レ点と塗りつぶしとを確認し、レ点と塗りつぶしとがなければ、Ｓ３７で、画像番号を更新し、Ｓ３８で、画像数を削減し、Ｓ３３に戻る。Ｓ３５でレ点と塗りつぶしとが確認されると、Ｓ３６で、チェックボックスの横にあるフィールド位置情報を読み込み、メモリに格納する。上記「フィールド位置情報」は、全動画像データの中の位置が判る位置情報である。
【００４８】
その後は、Ｓ３７で、画像番号を更新し、Ｓ３８で、画像数を削減し、Ｓ３３で、チェックボックスの位置を算出する。これら一連の処理を、画像数分、実行し、印刷対象画像を特定する。その後に、特定された画像を、順次、印刷することによって、動画像中の動きのない画像を印刷することができる。
【実施例２】
【００４９】
図７は、本発明の実施例２である動画像データ一覧印刷結果７０を示す図である。
【００５０】
印刷用紙７１は、図６に示す印刷用紙６１と同様の印刷用紙であり、その他、ＳＦ１、７３〜７９、ＳＦ２は、図６に示すＳＦ１、６３〜６９、ＳＦ２に対応している。
【００５１】
つまり、印刷結果７０は、印刷用紙７１上に、第１基準指標ＳＦ１と、画像数７３と、印刷画像７４、７５、７６、７７と、チェックボックス７８と、チェックボックス横の数字７９と、第２基準指標ＳＦ２とが印刷されたものである。
【００５２】
動画像データ一覧印刷結果７０が、動画像データ一覧出力結果６０と異なる点は、動画像を輪郭のみの画像と合成した画像の下部に、チェックボックス７８ａと、動画像全体のフィールド位置情報７９ａとを印刷した点のみが異なる。
【００５３】
図８は、実施例２における動画像データ一覧印刷結果８０を示す図である。
【００５４】
実施例２では、動きのある画像にもチェックボックスを設け、レ点と塗りつぶしとによって、動きのある画像を選択し、印刷用紙を読み取る装置を用いてスキャンすることによって、図８に示す出力を行う点が、実施例１とは異なる。
【００５５】
図１２は、実施例２における動作を示すフローチャートであり、実施例１と異なる動作を示すフローチャートである。
【００５６】
実施例１と同じく、Ｓ４１で、基準枠を読み取り、Ｓ４２で、画像数を読み取る。Ｓ４３でも、実施例１と同様に、基準枠からの相対位置に基づいて、チェックボックスの位置を算出する。Ｓ４５で動きのない画像が選択されると、実施例１と同様に処理するが、この処理を記載していない。
【００５７】
次に、Ｓ４５で動きのある画像が選択された場合の処理について説明する。
【００５８】
Ｓ４６で、画像データ全体の中の位置を示すフィールド位置情報を読み込む。このときに読み込んだフィールド位置情報を示す文字の文字種に着目し、標準文字である場合、静止画像データであるので、それ以外の文字種である場合、動画像となる。Ｓ４７で、標準文字であるか、それ以外の文字種であるかを判別する。実施例２における特殊文字は、ボールド処理された文字を使用している。なお、標準文字は、文字及び数字、記号に何も修飾していない文字であるので、この場合、修飾情報に関して標準設定の文字ということになる。
【００５９】
その後に、動きのある画像として認識された場合、Ｓ５０で、動きのある画像の開始フィールド位置を、メモリに格納する。Ｓ５１で、次の画像のフィールド位置情報を読み取り、メモリに格納されている動きのある画像の開始フィールド位置との差分を求める。これによって、動きのある画像の画像枚数を算出することができる。
【００６０】
この算出された動きのある画像の枚数も、同様にメモリに格納する。実施例１と同様に、Ｓ４８で、画像番号を更新し、Ｓ４９で、画像数を減少し、次の処理を行う。全ての処理が終了すると、メモリに格納されている情報に基づいて、図８に示す結果を印刷する。
【００６１】
実施例２において印刷する内容は、実施例１の図６に示す印刷結果６０と同じである。
【００６２】
実施例２では、図７に示すように、開始フィールド位置は３であり、次の画像のフィールド位置情報は６であるので、フィールドデータの３番目から３枚のフィールドデータが印刷される。
【００６３】
実施例１によれば、動画像データを静止している画像と、動きのある画像とに分類し、時系列に並べて一覧印刷することによって、動画像データの全体像を把握することができる。また、画像全体において、印刷したいデータの位置を把握できるので、印刷したい画像を、短期間で特定することができる。
【００６４】
実施例２によれば、動きのある画像は、輪郭のみを複数枚合成して印刷されるので、対象物の動きを確認することができる。また、その画像を選択することによって、動きのある画像を展開した一覧印刷を実行するので、動きのある画像も短時間で選択することができる。
【００６５】
つまり、上記実施例は、原稿を読み取る原稿読取部と、記録紙に画像形成する画像形成部と、装置を操作する操作部とを具備する動画像印刷装置である。また、上記実施例は、メモリカードから動画像を読み取り、上記読み取った画像が連続するフィールド画像で対象物の位置情報に変化が無いことを検出する静止画像検出手段を有する。上記実施例は、上記静止画像検出手段が、静止画像を検出する前の複数の動画像フィールドを格納する動画像フィールド格納手段とを有する。さらに、上記実施例は、上記動画像フィールド格納手段に格納されている動画像フィールドを、フィールド毎に、２値化する動画像２値化手段を有する。しかも、上記実施例は、上記動画像フィールド格納手段に格納されている上記動画像フィールドを合成し、合成動画像を生成する合成動画像作成手段を有する。そして、上記実施例は、上記静止画像と合成動画像とが交互に配置されている一覧印刷を行う一覧印刷制御手段を有する動画像印刷装置の例である。
【００６６】
この場合、上記一覧印刷した静止画像の下部にのみ、画像選択用の矩形のチェックボックスを設ける。また、上記一覧印刷した全ての画像の下部に、画像選択用の矩形のチェックボックスを印刷する。さらに、一覧印刷を行ったシートに印刷されているチェックボックスに、ユーザがマーキングした上記シートを原稿読取部が読み取り、解析する画像解析手段を有し、上記画像解析手段が解析した静止画像を、動画像データから取り出し、印刷する。しかも、一覧印刷を行ったシートに印刷されているチェックボックスにユーザがマーキングした上記シートを原稿読取部が読み取り、解析する画像解析手段を有する。そして、上記画像解析手段が解析した画像が動画像であれば、対象の動画像をフィールド毎に再度一覧印刷し、画像下部に、画像選択用の矩形のチェックボックスを設ける。また、上記動画像２値化手段は、画像の輪郭のみを抽出する手段である。さらに、上記一覧印刷制御手段は、上記一覧印刷した静止画像の下部にのみ、動画像中の画像の位置を特定するフィールド位置情報を印刷する手段である。しかも、上記一覧印刷制御手段は、上記一覧印刷した静止画像の下部にのみ、動画像中の画像の位置を特定するフィールド位置情報を印刷する手段であることを特徴とする動画像印刷装置。そして、上記一覧印刷制御手段は、上記一覧印刷した全ての画像の下部に、動画像中の画像の位置を特定するフィールド位置情報を印刷する手段である。また、上記一覧印刷制御手段は、静止画像の場合、画像の位置を特定するフィールド番号を、標準文字で印刷し、動画像の場合、特殊文字で印刷する手段である。
【００６７】
また、上記実施例を方法の発明として把握することができる。つまり、上記実施例は、原稿を読み取る原稿読取部と、記録紙に画像形成する画像形成部と、装置を操作する操作部とを具備する動画像印刷装置の制御方法である。また、上記実施例は、メモリカードから動画像を読み取り、上記読み取った画像が連続するフィールド画像で対象物の位置情報に変化が無いことを検出する静止画像検出工程を有する。上記実施例は、上記静止画像検出工程で、静止画像を検出する前の複数の動画像フィールドを、記憶装置に格納する動画像フィールド格納工程とを有する。さらに、上記実施例は、上記動画像フィールド格納工程で格納された動画像フィールドを、フィールド毎に、２値化し、記憶装置に記憶する動画像２値化工程を有する。しかも、上記実施例は、上記動画像フィールド格納工程で格納された上記動画像フィールドを合成し、合成動画像を生成し、記憶装置に記憶する合成動画像作成工程を有する。そして、上記実施例は、上記静止画像と合成動画像とが交互に配置されている一覧印刷を行う制御工程とを有する動画像印刷装置の制御方法の例である。
【図面の簡単な説明】
【００６８】
【図１】本発明の実施例１である画像形成装置１００の概観を示す斜視図である。
【図２】図１における画像形成装置１００を背面から見た外観斜視図である。
【図３】画像形成装置１００の原稿カバー４を上面に開き、原稿台にアクセス可能な状態を示す外観斜視図である。
【図４】画像形成装置１００の制御に係る主要部の構成を示すブロック図である。
【図５】ＡＳＩＣ４３の構成を示すブロック図である。
【図６】実施例１において、動画像データを一覧印刷した動画像データ一覧印刷結果６０を示す図である。
【図７】本発明の実施例２である動画像データ一覧印刷結果７０を示す図である。
【図８】実施例２における動画像データ一覧印刷結果８０を示す図である。
【図９】実施例１において画像出力するまでの処理を示すフローチャートである。
【図１０】実施例１において、画像出力するまでの処理を示すフローチャートである。
【図１１】一覧印刷された用紙において、ユーザがチェックボックスにレ点、塗りつぶしを行い、読み取り装置でスキャンした後の処理を示すフローチャートである。
【図１２】実施例２における動作であり、実施例１と異なる動作を示すフローチャートである。
【符号の説明】
【００６９】
１００…画像形成装置、
４１…制御基板、
４２…中央演算装置（ＣＰＵ）、
４３…ＡＳＩＣ（専用カスタムＬＳＩ）、
４４…メモリ、
４４ａ…プログラムメモリ、
４５…データ保存領域、
４６…印刷部、
４７…スキャナ部、
５２…ＣＰＵインタフェース部、
５３…メモリカードインタフェース部、
５４…操作パネルインタフェース部、
５５…スキャナ関連モジュール、
５６…印刷関連モジュール、
５７…ＨＤＤコントローラモジュール、
ＳＦ１…第１基準指標、
ＳＦ２…第２基準指標、
６３、７３、８３…画像数、
６４、６６、７４、７６…静止画像、
６８、７８、７８ａ、８７…チェックボックス、
６９、７９、７９ａ、８８…フィールド位置情報、
６１、７１、８１…印刷用紙。
【図１】
2008296453.tif 000003
【図２】
2008296453.tif 000004
【図３】
2008296453.tif 000005
【図４】
2008296453.tif 000006
【図５】
2008296453.tif 000007
【図６】
2008296453.tif 000008
【図７】
2008296453.tif 000009
【図８】
2008296453.tif 000010
【図９】
2008296453.tif 000011
【図１０】
2008296453.tif 000012
【図１１】
2008296453.tif 000013
【図１２】
2008296453.tif 000014